【手続補正書】
【提出日】平成18年8月18日(2006.8.18)
【手続補正１】
【補正対象書類名】明細書
【補正対象項目名】特許請求の範囲
【補正方法】変更
【補正の内容】
【特許請求の範囲】
【請求項１】  胴周り被覆域と、股部被覆域と、胴周り開口部と、一対の脚周り開口部とを有し、前記胴周り被覆域の外面に胴周り方向へ延びるとともに、前記被覆域のいずれかに対する止着手段を有するテープ片が取り付けられているパンツ型の使い捨ておむつにおいて、
前記胴周り被覆域は、前記胴周り方向へ弾性的に伸長、収縮可能に形成された部位を有し、前記部位に含まれる弾性部材の収縮によって前記胴周り方向において凹凸を繰り返すギャザーが形成されており、
前記テープ片は、前記外面に剥離不能に取り付けられている固定テープ部と、前記固定テープ部につながる可動テープ部とからなり、前記可動テープ部は、基端部分と先端部分とを有していて前記基端部分が前記胴周り方向における前記固定テープ部の一端部につながり、前記先端部分が前記固定テープ部における前記一端部と向かい合う対向端部へ向かって延びているか前記対向端部へ向かって延びた後に折り返されて前記一端部へ向かって延びているかのいずれかの状態にあって摘持域を有しており、前記可動テープ部の前記外面と向かい合う内面には前記摘持域の手前に前記止着手段が形成され、前記固定テープ部と可動テープ部との前記胴周り方向における少なくとも一部の部位は、前記胴周り被覆域が前記胴周り方向へ弾性的に収縮することによって前記胴周り被覆域の前記外面から離間する外方向へ凸となるように湾曲し、前記止着手段が前記胴周り方向へ湾曲している前記固定テープ部および可動テープ部いずれかの前記部位に剥離可能に仮止めされていることを特徴とする前記使い捨ておむつ。
【請求項２】  前記テープ片は、前記固定テープ部の前記一端部が前記おむつの幅を二等分する中心線寄りの内端部を成す一方、前記対向端部が反対側の外端部を成しており、前記可動テープ部が、前記先端部分と前記基端部分との間に形成される折曲部位で二つに折り重ねられて、前記摘持域と止着手段とを有する第１可動テープ部と、前記基端部分を含んでいて前記第１可動テープ部と前記固定テープ部との間に介在する第２可動テープ部とを有し、前記第１可動テープ部は前記止着手段において前記第２可動テープ部の前記基端部分寄りに剥離可能に仮止めされており、前記第２可動テープ部は前記折曲部位の近傍が前記固定テープ部の前記内端部寄りに剥離可能に仮止めされているとともに、前記第１可動テープ部の止着手段が仮止めされている部位において、前記胴周り被覆域の前記外面から離間する外方向へ凸となるように湾曲している請求項１記載のパンツ型の使い捨ておむつ。
【請求項３】  前記テープ片は、前記胴周り方向において、前記第１可動テープ部と第２可動テープ部と固定テープ部とがＺ字型および逆Ｚ字型のいずれかに折り畳まれた状態にある請求項２記載の使い捨ておむつ。
【請求項４】  前記第２可動テープ部は、前記固定テープ部の前記内端部と外端部との間において胴周り被覆域の前記外面から離間する外方向へ凸となるように湾曲している請求項２または３記載のパンツ型の使い捨ておむつ。
【請求項５】  前記テープ片は、前記固定テープ部の前記一端部が前記おむつの幅を二等分する中心線寄りに位置する内端部を成す一方、前記対向端部が反対側の外端部を成しており、前記可動テープ部は、前記基端部分が前記中心線寄りに位置して前記固定テープ部の内端部につながる一方、前記先端部分が前記固定テープ部の内端部から外端部へ向かって延びていて前記粘着域が前記固定テープ部の外端部近傍の部位に剥離可能に仮止めされており、前記固定テープ部は、少なくとも前記部位が前記胴周り被覆域の前記外面から離間する外方向へ凸となるように湾曲している請求項１記載の使い捨ておむつ。
【請求項６】  胴周り被覆域と、股部被覆域と、胴周り開口部と、一対の脚周り開口部とを有し、前記胴周り被覆域の外面に胴周り方向へ長く延びるとともに、前記被覆域いずれかに対する止着手段を有するテープ片が取り付けられているパンツ型の使い捨ておむつにおいて、
前記外面を含む前記胴周り被覆域は、前記胴周り方向へ弾性的に伸長、収縮可能に形成された部位を有し、前記部位に含まれる弾性部材の収縮によって前記胴周り方向において凹凸を繰り返すギャザーが形成されており、
前記テープ片は、前記外面に剥離不能に取り付けられている固定テープ部と、前記固定テープ部につながる可動テープ部とからなり、前記可動テープ部は、基端部分と先端部分とを有していて前記基端部分が前記胴周り方向における前記固定テープ部の一端部につながり、前記先端部分には摘持域と前記止着手段とが形成されていて、前記止着手段が前記摘持域よりも前記基端部寄りにおいて前記先端部分の前記外面と向かい合う内面に位置しているとともに、前記止着手段の前記摘持域寄りの部位が前記ギャザーの凸となる部位に剥離可能に仮止めされていることを特徴とする前記使い捨ておむつ。
【請求項７】  前記止着手段が粘着剤である請求項１〜６のいずれかに記載の使い捨ておむつ。
【請求項８】  前記止着手段がフック部材とループ部材とからなるメカニカルファスナの前記フック部材である請求項１〜６のいずれかに記載の使い捨ておむつ。
【手続補正２】
【補正対象書類名】明細書
【補正対象項目名】０００６
【補正方法】変更
【補正の内容】
【０００６】
【課題を解決するための手段】
前記課題を解決するために、この発明が前提とするのは、胴周り被覆域と、股部被覆域と、胴周り開口部と、一対の脚周り開口部とを有し、前記胴周り被覆域の外面に胴周り方向へ延びるとともに、前記被覆域のいずれかに対する止着手段を有するテープ片が取り付けられているパンツ型の使い捨ておむつである。
【手続補正３】
【補正対象書類名】明細書
【補正対象項目名】０００７
【補正方法】変更
【補正の内容】
【０００７】
かかる前提において、この発明が特徴とするところの第１は、次のとおりである。前記胴周り被覆域は、前記胴周り方向へ弾性的に伸長、収縮可能に形成された部位を有し、前記部位に含まれる弾性部材の収縮によって前記胴周り方向において凹凸を繰り返すギャザーが形成されている。前記テープ片は、前記外面に剥離不能に取り付けられている固定テープ部と、前記固定テープ部につながる可動テープ部とからなる。前記可動テープ部は、基端部分と先端部分とを有していて前記基端部分が前記胴周り方向における前記固定テープ部の一端部につながり、前記先端部分が前記固定テープ部における前記一端部と向かい合う対向端部へ向かって延びているか前記対向端部へ向かって延びた後に折り返されて前記一端部へ向かって延びているかのいずれかの状態にあって摘持域を有している。前記可動テープ部の前記外面と向かい合う内面には前記摘持域の手前に前記止着手段が形成され、前記固定テープ部と可動テープ部との前記胴周り方向における少なくとも一部の部位は、前記胴周り被覆域が前記胴周り方向へ弾性的に収縮することによって前記胴周り被覆域の前記外面から離間する外方向へ凸となるように湾曲し、前記止着手段が前記胴周り方向へ湾曲している前記固定テープ部および可動テープ部いずれかの前記部位に剥離可能に仮止めされている。
【手続補正４】
【補正対象書類名】明細書
【補正対象項目名】０００８
【補正方法】変更
【補正の内容】
【０００８】
かかる第１の特徴を有するこの発明には、次のような好ましい実施態様がある。
（１）前記テープ片は、前記固定テープ部の前記一端部が前記おむつの幅を二等分する中心線寄りの内端部を成す一方、前記対向端部が反対側の外端部を成している。前記可動テープ部は、前記先端部分と前記基端部分との間に形成される折曲部位で二つに折り重ねられて、前記摘持域と止着手段とを有する第１可動テープ部と、前記基端部分を含んでいて前記第１可動テープ部と前記固定テープ部との間に介在する第２可動テープ部とを有する。前記第１可動テープ部は、前記止着手段において前記第２可動テープ部の前記基端部分寄りに剥離可能に仮止めされている。前記第２可動テープ部は、前記折曲部位の近傍が前記固定テープ部の前記内端部寄りに剥離可能に仮止めされているとともに、前記第１可動テープ部の止着手段が仮止めされている部位において、前記胴周り被覆域の前記外面から離間する外方向へ凸となるように湾曲している。
（２）前記テープ片は、前記胴周り方向において、前記第１可動テープ部と第２可動テープ部と固定テープ部とがＺ字型および逆Ｚ字型のいずれかに折り畳まれた状態にある。
（３）前記第２可動テープ部は、前記固定テープ部の前記内端部と外端部との間において前記胴周り被覆域の前記外面から離間する外方向へ凸となるように湾曲している。
（４）前記テープ片は、前記固定テープ部の前記一端部が前記おむつの幅を二等分する中心線寄りに位置する内端部を成す一方、前記対向端部が反対側の外端部を成している。前記可動テープ部は、前記基端部分が前記中心線寄りに位置して前記固定テープ部の内端部につながる一方、前記先端部分が前記固定テープ部の内端部から外端部へ向かって延びていて前記粘着域が前記固定テープ部の外端部近傍の部位に剥離可能に仮止めされている。前記固定テープ部は、少なくとも前記部位が前記胴周り被覆域の前記外面から離間する外方向へ凸となるように湾曲している。
【手続補正５】
【補正対象書類名】明細書
【補正対象項目名】０００９
【補正方法】変更
【補正の内容】
【０００９】
前記前提において、この発明が特徴とするところの第２は、次のとおりである。前記外面を含む前記胴周り被覆域は、前記胴周り方向へ弾性的に伸長、収縮可能に形成された部位を有し、前記部位に含まれる弾性部材の収縮によって前記胴周り方向において凹凸を繰り返すギャザーが形成されている。前記テープ片は、前記外面に剥離不能に取り付けられている固定テープ部と、前記固定テープ部につながる可動テープ部とからなり、前記可動テープ部は、基端部分と先端部分とを有していて前記基端部分が前記胴周り方向における前記固定テープ部の一端部につながり、前記先端部分には摘持域と前記止着手段とが形成されていて、前記止着手段が前記摘持域よりも前記基端部寄りにおいて前記先端部分の前記外面と向かい合う内面に位置しているとともに、前記止着手段の前記摘持域寄りの部位が前記ギャザーの凸となる部位に剥離可能に仮止めされている。
【手続補正６】
【補正対象書類名】明細書
【補正対象項目名】００１２
【補正方法】変更
【補正の内容】
【００１２】
図１に部分破断斜視図で示されたパンツ型の使い捨ておむつ１は、熱可塑性合成繊維からなる不織布製の透液性内面シート２と、熱可塑性合成樹脂フィルム製の不透液性外面シート３と、これら内外面シート２，３間に介在する吸液性コア４とによって構成され、前胴周り域５と後胴周り域６とからなる胴周り被覆域と、これら両域５，６間に位置する股下域７からなる股部被覆域とを有する。内外面シート２，３は、吸液性コア４の周縁から延出し、ホットメルト接着剤（図示せず）を介して互いに接合している。前後胴周り域５，６は、互いの側縁部９ａ，９ｂどうしが合掌状に重なり合い、上下方向に間欠的に並ぶ部位１０において溶着して一体となり、胴周り開口部１１と一対の脚周り開口部１２とを形成している。それぞれの開口部１１，１２の周縁の部位では、複数条の胴周り弾性部材１１ａと脚周り弾性部材１２ａとが内外面シート２，３の間にあって、これらシート２，３の少なくとも一方に伸長状態で接合することによって、胴周り方向と脚周り方向とへ弾性的に伸長、収縮可能に形成されている。前後胴周り域５，６では、複数条の胴周り弾性部材１１ａの下方に複数条の補助弾性部材８が設けられている。補助弾性部材８は、おむつ１の幅方向中央部では、外面シート３とコア４との間、側縁部９ａ，９ｂの近傍では内外面シート２と３との間にあって、胴周り方向へ伸長され、補助弾性部材８それぞれの端部が側縁部９ａ，９ｂにおいて、内外面シート２，３の少なくとも一方に接合し固定されている。補助弾性部材８はまた、胴周り方向において、側縁部９ａとコア４の側縁との間および側縁部９ｂとコア４の側縁との間に位置する部分が内外面シート２，３の少なくとも一方に間欠的に接合している。かように形成されているおむつ１は、それぞれの弾性部材が収縮することにより、胴周り開口１１の周縁の部位、脚周り開口１２の周縁の部位、前後胴周り域５，６における側縁部９ａとコア４の側縁との間および側縁部９ｂとコア４の側縁との間などに胴周り方向または脚周り方向において凹凸を繰り返す細かなギャザーが形成されている。おむつ１の後胴周り域６には、側縁部９ｂ近傍の外面に、汚れたおむつを丸めたり、折り畳んだりするために使用可能な粘着性テープ片１４が設けられている。
【手続補正７】
【補正対象書類名】明細書
【補正対象項目名】００１５
【補正方法】変更
【補正の内容】
【００１５】
かような粘着性テープ片１４は、おむつ１を幅方向へ伸長させて側縁部９ａ，９ｂとコア４の側縁との間の部位にギャザーがない状態にして、外面シート３に取り付けられる。その後に補助弾性部材８が収縮すると、その部位は、内外面シート２，３に胴周り方向において凹凸を繰り返す多数の細かいギャザーが生じて、胴周り方向に収縮するとともに、固定テープ部１４ａも収縮する。一方、第２可動テープ部１４ｃは、その内端部２７が第２粘着剤１５を介して固定テープ部１４ａにその内端部２１寄りで剥離可能に仮止めされ、基端部分２８が固定テープ部１４ａの外端部２２につながっているが、内端部２７と基端部分２８との間では固定テープ部１４ａから離間しており（図３参照）、内外面シート２，３と固定テープ部１４ａとの収縮に伴って、図示の如く内端部２７と基端部分２８との間の部分が前胴周り域５の外面から離間する外方向へ凸となるように湾曲する。この第２可動テープ部１４ｃに仮止めされている第１可動テープ部１４ｂもまた第２可動テープ部１４ｃと同じように湾曲する。
【手続補正８】
【補正対象書類名】明細書
【補正対象項目名】００１９
【補正方法】変更
【補正の内容】
【００１９】
図５は、この発明の実施態様を示す図２と同様の図面である。この粘着性テープ片１４では、固定テープ部１４ａ，第１，２可動テープ部１４ｂ，１４ｃそれぞれにギャザーが形成されている。この粘着性テープ片１４の場合にも、粘着性テープ片１４の粘着域１６ａの近傍において、第２可動テープ部１４ｃは胴周り域５の外面から離間する外方向ヘ凸となるように湾曲しているから、粘着性テープ片１４は矢印Ａ方向へ引張るだけでまっすぐに伸展させることができる。
【手続補正９】
【補正対象書類名】明細書
【補正対象項目名】００２１
【補正方法】変更
【補正の内容】
【００２１】
この発明において、粘着性テープ片１４は、プラスチックフィルムや不織布、織布、これらのうちの少なくとも２つをラミネートしたシート等によって作ることができる。しかし、好ましい粘着性テープ片１４において、固定テープ部１４ａにはポリエチレン、ポリプロピレン、ポリエステル等の非弾弾性的なテープが使用され、可動テープ部１４ｅにはこれらの非弾性的なテープの他に、ウレタン等の弾性的なテープも使用される。固定テープ部１４ａと可動テープ部１４ｅとは、１条のテープを折り重ねて作ることもできるし、複数条のテープをつなぎ合わせて作ることもできる。これらテープの厚さは、１０〜１００ミクロン程度であることが好ましい。固定テープ部１４ａが取り付けられるおむつ１の胴周り域において、図示例では補助弾性部材８の収縮によって固定テープ部１４ａの寸法を縮めたが、補助弾性部材８に代えて胴周り方向に伸縮性を有する内外面シート２，３を使用することもできる。ただし、その場合には、内外面シート２，３を胴周り方向ヘ伸長させた状態で、外面シート３に対して粘着性テープ片１４を取り付ける。粘着性テープ片１４を取り付ける部位は、図示例の他に、胴周りの適宜の部位を選ぶことができる。粘着性テープ片１４のうちの第１可動テープ部１４ｂに対する第１粘着剤１６の塗布域は、摘持域１４ｄの手前のごく限られた部位にのみ設けることが可能で、そのような粘着性テープ片１４は伸展させることが容易で、しかも粘着剤１６の使用量が少なくてすむという他に、摘持域１４ｄを摘んだ指先を使って伸展させた粘着性テープ片１４を速やかに止着できるというメリットもある。粘着性テープ片１４は、補助弾性部材８と重なるように外面シート３に取り付けることによって湾曲の程度を顕著なものにすることができる。
【手続補正１０】
【補正対象書類名】明細書
【補正対象項目名】００２２
【補正方法】変更
【補正の内容】
【００２２】
図７もまた、この発明の実施態様の一例を示す図２と同様の図面である。この態様の粘着性テープ片１４も固定テープ部１４ａと可動テープ部１４ｅとからなる。固定テープ部１４ａは、内端部２１が外端部２２へ向かって折り返されている。可動テープ部１４ｅは、折り返されることなく胴周り方向へ延びており、基端部分２８が固定テープ部１４ａの内端部２１に第７接着剤４７を介して剥離することがないように接着されるとともに、内端部２１よりも中心線Ｐ−Ｐ（図１参照）寄りにおいて外面シート３に第８接着剤４８を介して剥離することがないように接着されている。可動テープ部１４ｅの先端部分２４は、非粘着性の摘持域１４ｄと、摘持域１４ｄの手前に塗布された第１粘着剤１６が形成している粘着域１６ａとを有し、第１粘着剤１６を介して固定テープ部１４ａに剥離可能に仮止めされている。かかる固定テープ部１４ａと可動テープ部１４ｅとは、第１粘着剤１６と第７粘着剤４７との間においてほぼ同じ長さを有している。固定テープ部１４ａとして内外面シート２，３よりも剛性の高いものが使用されていると、固定テープ部１４ａは、内外面シート２，３が収縮すると固定テープ部１４ａも僅かにギャザーが生じて収縮するが、これらシート２，３ほどには収縮することがなく、胴周り域５の外面から離間する外方向へ凸となるように湾曲する。特に図示例のように固定テープ部１４ａが胴周り方向へ間欠的に塗布された接着剤１７によって外面シート３に取り付けられていると、接着剤１７と１７との間において凸となるように湾曲しやすい。可動テープ部１４ｅは、摘持域１４ｄの手前に形成された粘着域１６ａが湾曲している固定テープ部１４ａに仮止めされている。かような粘着性テープ片１４は、摘持域１４ｄを矢印Ａ方向へほぼまっすぐに引張るだけで可動テープ部１４ｅを固定テープ部１４ａから剥離することができる。剥離後の可動テープ部１４ｅは、第１粘着剤１６を使用しておむつ１を図４のように丸めたり、着用したおむつ１の胴周りのたるみをとったりするために使用することができる。
【手続補正１１】
【補正対象書類名】明細書
【補正対象項目名】００２６
【補正方法】変更
【補正の内容】
【００２６】
【発明の効果】
この発明に係るおむつでは、止着手段を有しており胴周り方向ヘ延びているテープ片がおむつの外面に取り付けられた固定テープ部と、固定テープ部の一端部につながる可動テープ部とからなり、可動テープ部の先端部分には摘持域と摘持域の手前に位置する止着手段とが形成されている。可動テープ部は、その止着手段を胴周り被覆域の外面から離間する外方向へ凸となるように湾曲している部位に剥離可能に仮止めされているから、摘持域をテープ片の長さ方向へ引っ張るだけで、可動テープ部のその仮止め解くことができる。